(57)【要約】【課題】ユーザの利便性をより向上させることを可能にする。【解決手段】撮影された映像を所定の時間遅延させて表示させる表示制御部、を備え、遅延される前記所定の時間は、トリガ信号に応じて記録が開始されるタイミングに基づいて決定される、表示制御装置を提供する。【選択図】図２
2016025562.tif 000002
【特許請求の範囲】
【請求項１】
撮影された映像を所定の時間遅延させて表示させる表示制御部、を備え、
遅延される前記所定の時間は、トリガ信号に応じて記録が開始されるタイミングに基づいて決定される、表示制御装置。
【請求項２】
前記トリガ信号の入力タイミングと前記映像の記録期間との関係に応じた記録モードを決定する記録モード設定部、を更に備え、
前記記録モードが、前記記録期間が前記トリガ信号のタイミング以前の遡及期間を含む記録モードである場合、前記表示制御部は、前記遡及期間の分だけ、前記映像を遅延させて表示させる、
請求項１に記載の表示制御装置。
【請求項３】
前記記録モードは、前記トリガ信号のタイミング以前に前記記録期間の分だけ遡った期間の前記映像を記録する第１の記録モードと、前記トリガ信号の入力タイミングの前後の期間を含む前記記録期間の前記映像を記録する第２の記録モードと、を少なくとも含む、
請求項２に記載の表示制御装置。
【請求項４】
撮影された一定期間分の映像を記憶する記憶部、を更に備え、
前記表示制御部は、前記記憶部に記憶されている映像を用いて、撮影された映像を所定の時間遅延させて表示させる、
請求項１に記載の表示制御装置。
【請求項５】
前記表示制御部は、所定の時間遅延された映像とともに、現在の被写体の様子を表すスルー画を更に表示させる、
請求項１に記載の表示制御装置。
【請求項６】
前記表示制御部は、第１の表示画面に前記スルー画を表示させ、第２の表示画面に前記所定の時間遅延された映像を表示させる、
請求項５に記載の表示制御装置。
【請求項７】
前記第２の表示画面は、前記第１の表示画面の一部領域に設けられる、
請求項６に記載の表示制御装置。
【請求項８】
前記第１の表示画面と前記第２の表示画面とは、互いに異なる表示装置の表示画面である、
請求項６に記載の表示制御装置。
【請求項９】
前記表示制御部は、前記スルー画と前記所定の時間遅延された映像とを重畳して表示させる、
請求項５に記載の表示制御装置。
【請求項１０】
映像を撮影する撮像部と、
前記撮像部によって撮影された一定期間分の映像を記憶する記憶部と、
前記記憶部に記憶されている映像を用いて、前記撮像部によって撮影された映像を所定の時間遅延させて表示させる表示制御部と、
を備え、
遅延される前記所定の時間は、トリガ信号に応じて記録が開始されるタイミングに基づいて決定される、撮像装置。
【請求項１１】
プロセッサが、撮影された映像を所定の時間遅延させて表示させること、
を含み、
遅延される前記所定の時間は、トリガ信号に応じて記録が開始されるタイミングに基づいて決定される、表示制御方法。
【発明の詳細な説明】
【技術分野】
【０００１】
本開示は、表示制御装置、撮像装置及び表示制御方法に関する。
【背景技術】
【０００２】
デジタルビデオカメラ等の動画（映像）を撮影可能な撮像装置には、録画ボタンの押下等のトリガ操作に応じたトリガ信号の入力タイミングと映像が記録される期間との関係性に応じた、複数の記録モードを切り替え可能なものが存在する。当該記録モードには、例えば、トリガ信号の入力タイミング以降の所定の期間の映像を記録する、いわゆる「スタートトリガ」に対応する記録モードや、トリガ信号の入力タイミング以前に遡った所定の期間の映像を記録する、いわゆる「エンドトリガ」に対応する記録モードが存在する。例えば、特許文献１には、撮像装置のディスプレイに、選択された記録モードを、ユーザにとって直観的に把握しやすいアイコンとして表示する技術が開示されている。
【先行技術文献】
【特許文献】
【０００３】
【特許文献１】特開２００７−１８０７４０号公報
【発明の概要】
【発明が解決しようとする課題】
【０００４】
ここで、撮像装置を使用するユーザは、現在の被写体の様子が映し出された、いわゆるスルー画を参照しながら、記録したい期間に合わせてトリガ操作を行うことが一般的である。従って、例えば上述したエンドトリガに対応する記録モードのように、遡及して映像を記録する記録モードの場合には、ユーザは、記録開始時の映像を直接見ながらトリガ操作を行うことができない。よって、ユーザは、記録が終了した後に、記録済みの映像を改めて確認しないと、所望の映像が記録されているかどうかを確かめることができず、不便を感じることがあった。
【０００５】
そこで、本開示では、ユーザの利便性をより向上させることが可能な、新規かつ改良された表示制御装置、撮像装置及び表示制御方法を提案する。
【課題を解決するための手段】
【０００６】
本開示によれば、撮影された映像を所定の時間遅延させて表示させる表示制御部、を備え、遅延される前記所定の時間は、トリガ信号に応じて記録が開始されるタイミングに基づいて決定される、表示制御装置が提供される。
【０００７】
また、本開示によれば、映像を撮影する撮像部と、前記撮像部によって撮影された一定期間分の映像を記憶する記憶部と、前記記憶部に記憶されている映像を用いて、前記撮像部によって撮影された映像を所定の時間遅延させて表示させる表示制御部と、を備え、遅延される前記所定の時間は、トリガ信号に応じて記録が開始されるタイミングに基づいて決定される、撮像装置が提供される。
【０００８】
また、本開示によれば、プロセッサが、撮影された映像を所定の時間遅延させて表示させること、を含み、遅延される前記所定の時間は、トリガ信号に応じて記録が開始されるタイミングに基づいて決定される、表示制御方法が提供される。
【０００９】
本開示によれば、撮影された映像が所定の時間遅延されて表示される。従って、ユーザのトリガ操作以前に遡って映像が記録される場合に、ユーザが、遅延された映像を確認しながら、より適切なタイミングでトリガ操作を行うことが可能となる。よって、ユーザの利便性がより向上する。
【発明の効果】
【００１０】
以上説明したように本開示によれば、ユーザの利便性をより向上させることが可能となる。なお、上記の効果は必ずしも限定的なものではなく、上記の効果とともに又は上記の効果に代えて、本明細書に示されたいずれかの効果又は本明細書から把握され得る他の効果が奏されてもよい。
【図面の簡単な説明】
【００１１】
【図１】本実施形態に係る撮像装置において用いられる記録モードについて説明するための説明図である。
【図２】本実施形態に係る撮像装置の機能構成の一例を示す機能ブロック図である。
【図３】第１の記録モードにおける撮像映像記録部の処理について説明するための説明図である。
【図４】図３に示す撮影開始タイミングにおける、一般的な撮像装置での表示例を示す図である。
【図５】図３に示す記録開始タイミングにおける、一般的な撮像装置での表示例を示す図である。
【図６】図３に示すトリガ信号入力タイミングにおける、一般的な撮像装置での表示例を示す図である。
【図７】図３に示す撮影開始タイミングにおける、本実施形態に係る撮像装置での表示例を示す図である。
【図８】図３に示す記録開始タイミングにおける、本実施形態に係る撮像装置での表示例を示す図である。
【図９】図３に示すトリガ信号入力タイミングにおける、本実施形態に係る撮像装置での表示例を示す図である。
【図１０】本実施形態に係る表示制御方法の処理手順の一例を示すフロー図である。
【図１１】本実施形態に係る表示例について説明するための説明図である。
【図１２】複数の表示装置が設けられる変形例について説明するための説明図である。
【図１３】所定の時間遅延された映像のみが表示される変形例について説明するための説明図である。
【図１４】スルー画と所定の時間遅延された映像が重畳されて表示される変形例について説明するための説明図である。
【図１５】本実施形態に係る撮像装置のハードウェア構成の一例を示すブロック図である。
【発明を実施するための形態】
【００１２】
以下に添付図面を参照しながら、本開示の好適な実施の形態について詳細に説明する。なお、本明細書及び図面において、実質的に同一の機能構成を有する構成要素については、同一の符号を付することにより重複説明を省略する。
【００１３】
なお、説明は以下の順序で行うものとする。
１．記録モードについて
２．装置構成
３．表示例
３−１．一般的な表示例
３−２．本実施形態に係る表示例
４．表示制御方法
５．表示例についての変形例
５−１．複数の表示装置が設けられる変形例
５−２．所定の時間遅延された映像のみが表示される変形例
５−３．スルー画と所定の時間遅延された映像が重畳されて表示される変形例
６．ハードウェア構成
７．補足
【００１４】
（１．記録モードについて）
本実施形態に係る撮像装置（後述する図２に示す撮像装置１０に対応する。）は、例えばデジタルビデオカメラ等の動画（映像）を撮影可能な撮像装置である。当該撮像装置では、一定期間分の映像が例えばメモリ等の一時的に情報を記録可能な第１の記録媒体（後述する図２に示す第１の記憶部１４０に対応する。）に記録される。そして、録画ボタンの押下等のユーザのトリガ操作に応じて、第１の記録媒体に記録されている映像の中から所定の期間に対応する映像が、第１の記録媒体とは異なる第２の記録媒体（後述する図２に示す第２の記憶部１５０に対応する。）に記録される。第２の記録媒体に記録される映像が、ユーザが最終的に得たい映像、すなわち、最終的な記録対象となる映像である。例えば、高速度撮影のように、高フレームレートでの撮影を行う場合には、情報量の観点から、映像を長時間記録し続けること、すなわち、長時間の連続撮影が難しい。従って、上記のように、一時的に記録された一定期間分（例えば数（ｓｅｃ）程度）の映像の中から、所望の期間に対応する映像を記録し直す処理が好適に行われる。
【００１５】
なお、実際には、第１の記録媒体及び第２の記録媒体に記録されるものは、映像に対応するデータ（映像情報）であるが、本明細書では、「映像情報を記録（保存）する」ことを、簡便のため、「映像を記録（保存）する」等と呼称することがある。また、以下の説明では、区別のため、便宜的に、第１の記録媒体に映像を記録することを「撮影する」と呼称し、第２の記録媒体に映像を記録することを「記録する」と呼称することとする。つまり、本実施形態では、撮影された映像のうちの一部が、最終的な記録対象である映像として記録されることとなる。
【００１６】
ここで、本実施形態に係る撮像装置には、ユーザによる記録を開始する旨のトリガ操作（以下、単にトリガ操作とも言う。）に応じたトリガ信号の入力タイミングと映像の記録期間との関係性に応じて、複数の記録モードが存在する。図１を参照して、本実施形態に係る撮像装置において用いられる記録モードについて説明する。図１は、本実施形態に係る撮像装置において用いられる記録モードについて説明するための説明図である。図１では、映像を撮影中の時間を横軸として図示するとともに、トリガ信号の入力タイミングと、映像が記録される記録期間との関係を概略的に図示している。
【００１７】
図１（ａ）に示す記録モード（以下、第１の記録モードとも言う。）は、トリガ信号の入力タイミング以前に遡った所定の期間の映像を記録する記録モードである。第１の記録モードは、いわゆる「エンドトリガ」に対応するものである。
【００１８】
図１（ｂ）に示す記録モード（以下、第２の記録モードとも言う。）は、トリガ信号の入力タイミングを挟む所定の期間の映像を記録する記録モードである。第２の記録モードでは、トリガ信号の入力タイミング以前に遡った所定の期間、及び、トリガ信号の入力タイミング以降の所定の期間が、記録期間に含まれる。第２の記録モードは、いわゆる「センタトリガ」に対応するものである。
【００１９】
なお、以下の説明では、第１の記録モード及び第２の記録モードにおける、トリガ信号の入力タイミング以前に遡る所定の期間のことを、遡及期間とも呼称する。換言すれば、遡及期間は、記録期間の始まりのタイミング（記録開始タイミング）から、トリガ信号の入力タイミングまでの期間を表している。第１の記録モード及び第２の記録モードは、ともに、記録期間が遡及期間を含む記録モードである。また、第１の記録モードは、遡及期間と記録期間とが一致している記録モードであるとも言える。
【００２０】
図１（ｃ）に示す撮影モード（以下、第３の記録モードとも言う。）は、トリガ信号の入力タイミング以降の所定の期間の映像を記録する撮影モードである。第３の記録モードは、いわゆる「スタートトリガ」に対応するものである。第３の記録モードでは、記録期間が遡及期間を含まず、トリガ信号の入力タイミング以降の所定の期間が記録期間と一致している。
【００２１】
以上、図１を参照して、本実施形態に係る撮像装置において用いられる記録モードについて説明した。本実施形態に係る撮像装置では、例えばユーザによる選択操作に応じて、上記第１の記録モード〜第３の記録モードのいずれかの記録モードが設定される。ユーザは、例えばディスプレイ等の表示装置に表示される映像を参照しながら、設定された記録モードに応じたタイミングでトリガ操作を行うことにより、所望の期間の映像を得ることができる。本実施形態では、ユーザの利便性を向上させるべく、当該表示装置において、記録モードに応じた表示制御が行われる。
【００２２】
なお、本実施形態では、記録モードが第１の記録モード又は第２の記録モードである場合に、ユーザの利便性を向上させる効果が特に奏される。従って、以下では、記録モードが第１の記録モード又は第２の記録モードである場合について主に説明を行うものとする。
【００２３】
（２．装置構成）
図２を参照して、本実施形態に係る撮像装置の機能構成について説明する。図２は、本実施形態に係る撮像装置の機能構成の一例を示す機能ブロック図である。
【００２４】
図２を参照すると、本実施形態に係る撮像装置１０は、その機能として、撮像部１１０と、操作部１２０と、表示部１３０と、第１の記憶部１４０と、第２の記憶部１５０と、制御部１６０と、を備える。なお、図２では、本実施形態に特徴的な機能のみを主に図示し、一般的な撮像装置（例えばデジタルビデオカメラ）にも備えられ得る機能については図示を省略している。撮像装置１０は、このような、一般的な撮像装置に搭載され得る図示しない各種の機能を更に備えてもよい。
【００２５】
撮像部１１０は、例えばＣＣＤ（Ｃｈａｒｇｅ  Ｃｏｕｐｌｅｄ  Ｄｅｖｉｃｅ）イメージセンサやＣＭＯＳ（Ｃｏｍｐｌｅｍｅｎｔａｒｙ  Ｍｅｔａｌ−Ｏｘｉｄｅ−Ｓｅｍｉｃｏｎｄｕｃｔｏｒ）イメージセンサ等の撮像素子や、当該撮像素子に入射する光を制御するレンズ、絞り、シャッター等の光学部材によって構成され、被写体を撮像し、その撮像画像に対応する画像信号（画像情報）を取得する。撮像部１１０の動作、例えば、撮影条件に応じた上記撮像素子や上記光学部材の駆動は、後述する制御部１６０の撮像制御部１６１によって行われる。本実施形態では、撮像部１１０は、所定のフレームレートによって被写体を連続的に撮影することにより、動画（映像）に対応する画像情報を取得することができる。当該フレームレートは、いわゆる高速度撮影に対応する値であってよい。撮像部１１０は、取得した映像に対応する画像情報を、後述する制御部１６０の撮像映像処理部１６２に提供する。
【００２６】
なお、撮像装置１０は、撮像部１１０とともに、図示しない音声入力部を備えてもよい。当該音声入力部は、例えばマイクロフォン等の場の音声を取得可能な収音装置によって構成され、撮像部１１０によって取得される映像に対応する画像情報に応じた音声情報を取得することができる。
【００２７】
操作部１２０は、ユーザによる各種の操作入力を検出するための入力インターフェースである。操作部１２０は、例えば、記録開始ボタン、十字ボタン及びメニューボタン等の各種のボタン、タッチパネル、並びに、リモートコントローラ等の各種の入力装置によって構成される。ただし、操作部１２０の構成はかかる例に限定されず、操作部１２０は、一般的なデジタルビデオカメラに備えられ得る各種の公知の入力装置によって構成されてよい。また、操作部１２０は、ユーザが行った操作に基づく入力信号を生成して制御部１６０に提供する入力制御回路を含む。
【００２８】
ユーザは、操作部１２０を介して、撮像装置１０に対して各種の情報や指示を入力することができる。本実施形態では、ユーザは、操作部１２０を介して、記録モードを設定する旨の指示を、後述する制御部１６０の記録モード設定部１６３に入力することができる。また、ユーザは、操作部１２０を介して、撮影を開始する旨の指示を、後述する制御部１６０の撮像制御部１６１に入力することができる。また、ユーザは、操作部１２０（例えば上述した記録開始ボタン）を介してトリガ操作を行うことにより、記録を開始する旨の指示（すなわちトリガ信号）を、後述する制御部１６０の撮像映像記録部１６４に入力することができる。
【００２９】
表示部１３０は、各種の情報をテキスト、画像、図表、グラフ等多様な形式で表示画面に表示することにより、当該情報をユーザに対して視覚的に通知する出力インターフェースである。表示部１３０は、例えばＬＣＤ（Ｌｉｑｕｉｄ  Ｃｒｙｓｔａｌ  Ｄｉｓｐｌａｙ）、有機ＥＬ（Ｅｌｅｃｔｒｏ−Ｌｕｍｉｎｅｓｃｅｎｃｅ）ディスプレイ等の各種のディスプレイ装置によって構成される。本実施形態では、表示部１３０は、後述する制御部１６０の表示制御部１６５からの制御により、所定の時間遅延された映像を表示する。遅延される所定の時間は、設定された記録モードにおける遡及期間に対応する時間であってよい。これにより、遅延されて表示される映像は、記録開始タイミングにおける映像と一致することとなる。また、表示部１３０は、所定の時間遅延された映像とともに、現在の被写体を表す映像（いわゆるスルー画）を表示してもよい。なお、表示部１３０の機能はかかる例に限定されず、表示部１３０は、撮影条件を設定するための設定画面や、記録済みの映像等の、一般的な撮像装置において表示され得る各種の情報を表示することができる。
【００３０】
なお、撮像装置１０は、表示部１３０とともに、図示しない音声出力部を備えてもよい。当該音声出力部は、例えばスピーカ等の音声出力装置によって構成され、表示部１３０に表示される映像に対応する音声を出力することができる。
【００３１】
第１の記憶部１４０は、例えばメモリ等の一時的に情報を記録可能な記録媒体によって構成され、撮影中における一定期間分の映像を記憶する。すなわち、第１の記憶部１４０は、撮影された映像をバッファリングする。撮影中において、記録モードに応じた記録開始タイミングに対応する映像が第１の記憶部１４０から読み出され、表示制御部１６５に提供される。また、記録を開始する旨の操作入力に応じて、記録期間に対応する映像が第１の記憶部１４０から読み出され、第２の記憶部１５０に記憶される。第１の記憶部１４０における映像の記憶処理や読み出し処理は、後述する制御部１６０の撮像映像記録部１６４によって制御される。
【００３２】
第１の記憶部１４０に保存される映像は、撮影が継続している間随時更新され、古い映像から順に消去される。第１の記憶部１４０の記憶容量は、少なくとも、記録期間に対応する映像を記憶可能なように設定される。好適に、第１の記憶部１４０の記憶容量は、遡及期間（第１の記録モードにおいては記録期間）に対応する映像の情報量と等しくなるように設計される。第１の記憶部１４０の記憶容量が、遡及期間に対応する映像の情報量と等しい場合には、第１の記憶部１４０において消去される直前の映像が、第１及び第２の記録モードにおける記録開始タイミングでの映像に対応することとなる。
【００３３】
第２の記憶部１５０は、例えば、磁気記憶デバイス、半導体記憶デバイス、光記憶デバイス又は光磁気記憶デバイス等の各種の記憶装置によって構成され、記録期間に対応する映像、すなわち、最終的な記録対象である映像を記憶する。第２の記憶部１５０における当該映像の記憶処理は、後述する制御部１６０の撮像映像記録部１６４によって制御される。第２の記憶部１５０の記憶容量は、第１の記憶部１４０に比べて十分大きく設定される。例えば、第２の記憶部１５０は、互いに異なる複数の映像を記憶することができる。なお、第２の記憶部１５０は、例えば光ディスクや光磁気ディスク、半導体メモリ等の、リムーバブル記録媒体によって構成されてもよい。
【００３４】
なお、撮像装置１０は、第１の記憶部１４０及び第２の記憶部１５０以外にも、例えば制御部１６０によって処理される映像情報以外の各種の情報や、制御部１６０を動作させるプログラム等を記憶する記憶部を更に備えてもよい。あるいは、第２の記憶部１５０が、映像情報以外に、これらの情報を更に記憶してもよい。
【００３５】
制御部１６０は、例えばＣＰＵ（Ｃｅｎｔｒａｌ  Ｐｒｏｃｅｓｓｉｎｇ  Ｕｎｉｔ）やＤＳＰ（Ｄｉｇｉｔａｌ  Ｓｉｇｎａｌ  Ｐｒｏｃｅｓｓｏｒ）等の各種のプロセッサによって構成され、各種の演算処理を実行することにより、撮像装置１０の動作を制御する。制御部１６０は、本開示の表示制御装置に対応するものであり得る。図示するように、制御部１６０は、その機能として、撮像制御部１６１と、撮像映像処理部１６２と、記録モード設定部１６３と、撮像映像記録部１６４と、表示制御部１６５と、を有する。なお、これらの機能を含む制御部１６０の各機能は、制御部１６０を構成するプロセッサが、例えば第２の記憶部１５０又はその他の記憶装置等に記憶される所定のプログラムに従って動作することにより実現される。
【００３６】
撮像制御部１６１は、撮像部１１０の動作を制御する。例えば、撮像制御部１６１は、予め設定された撮影条件（例えば、露出やシャッタースピード等）に応じて、撮像部１１０に設けられる撮像素子及び光学部材を駆動させる。撮像制御部１６１は、操作部１２０を介して入力される撮影を開始する旨の信号に応じて、撮像素子及び光学部材を駆動させ、撮影を開始させることができる。このように、撮像制御部１６１からの制御に応じて撮像部１１０によって撮影が開始されると、映像に対応する画像情報が撮像部１１０から撮像映像処理部１６２に提供される。
【００３７】
撮像映像処理部１６２は、撮像部１１０によって取得された画像情報に対して各種の信号処理を行い、撮影された映像（撮像映像）に対応する映像情報を生成する。撮像映像処理部１６２が行う信号処理は、例えば、ガンマ補正や、ＡＧＣ（Ａｕｔｏ  Ｇａｉｎ  Ｃｏｎｔｒｏｌ）、ホワイトバランスの調整、露出補正、デジタルズームに応じた拡大制御等、一般的な撮像装置において画像情報を処理するために行われる各種の処理であってよい。信号処理後の画像情報が、例えば表示部１３０に表示され最終的にユーザによって視認され得る映像に対応する情報（映像情報）となる。撮像映像処理部１６２は、処理後の画像情報、すなわち、映像情報を、撮像映像記録部１６４及び表示制御部１６５に提供する。
【００３８】
記録モード設定部１６３は、撮像装置１０の記録モードを設定する。撮像装置１０の記録モードは、例えば上記（１．記録モードについて）で説明した第１の記録モード〜第３の記録モードの中から選択され得る。記録モード設定部１６３は、操作部１２０を介して入力されるユーザからの指示に応じて撮像装置１０の記録モードを決定することができる。記録モード設定部１６３は、設定した記録モードについての情報を、撮像映像記録部１６４に提供する。
【００３９】
撮像映像記録部１６４は、撮像映像に対応する映像情報を記録する。撮像映像記録部１６４は、撮像映像処理部１６２によって生成された映像情報を、第１の記憶部１４０に保存する。ここで、上述したように、第１の記憶部１４０の記憶容量は、一定期間分の映像を記憶可能なように設計されている。また、撮影が継続している間は、撮像映像処理部１６２によって映像情報が順次生成され得る。従って、撮像映像記録部１６４は、第１の記憶部１４０に記憶されている映像を、古いものから順次消去する、すなわち、順次更新する処理を行う。これにより、第１の記憶部１４０には、現時点から所定の期間（第１の記憶部１４０の記憶容量に対応する期間）遡った分の映像が、常時更新されながら記憶されることとなる。
【００４０】
また、撮像映像記録部１６４は、撮影中に、設定された記録モードについての情報に基づいて、記録期間を決定する。例えば、記録モードが第１の記録モードである場合には、現時点から遡った所定の期間が記録期間となる。また、例えば、記録モードが第２の記録モードである場合には、現時点から遡った所定の期間、及び、現時点から将来の所定の期間を合わせたものが記録期間となる。また、例えば、記録モードが第３の記録モードである場合には、現時点から将来の所定の期間が記録期間となる。撮像映像記録部１６４は、決定した記録期間に基づいて、記録モードに応じた記録開始タイミングに対応する映像を第１の記憶部１４０から読み出し、表示制御部１６５に提供する。また、撮像映像記録部１６４は、操作部１２０を介して入力される記録を開始する旨の信号（すなわち、トリガ信号）に応じて、設定された記録モードに応じた記録期間の映像を、第１の記憶部１４０から読み出し、第２の記憶部１５０に保存する。
【００４１】
なお、撮像映像記録部１６４は、符号化処理を行う機能を有していてもよく、映像情報を所定の方式（例えばＭＰＥＧ２等）で符号化し、符号化された当該映像情報を第１の記憶部１４０及び第２の記憶部１５０に格納してもよい。符号化の方式は、かかる例に限定されず、各種の公知の方式が用いられてよい。
【００４２】
以下、各記録モードに応じた撮像映像記録部１６４の処理について順に説明する。
【００４３】
まず、記録モードが第１の記録モードである場合について説明する。第１の記録モードでは、記録期間は遡及期間と一致している（図１（ａ）参照）。一方、上述したように、第１の記憶部１４０には少なくとも遡及期間に対応する期間の映像が保存されている。従って、第１の記録モードの場合には、撮像映像記録部１６４は、第１の記憶部１４０に記憶されている映像の中から、遡及期間の開始のタイミング（すなわち、記録開始タイミング）に対応する映像を読み出し、表示制御部１６５に提供する。これにより、第１の記録モードでの記録開始タイミングに対応する映像が、表示制御部１６５によって表示部１３０に表示されることとなる。また、撮像映像記録部１６４は、第１の記憶部１４０に記憶されている映像の中から、遡及期間に対応する映像を読み出し、第２の記憶部１５０に保存する。これにより、第１の記録モードでの記録期間に対応する映像が、第２の記憶部１５０に記憶されることとなる。
【００４４】
次に、記録モードが第２の記録モードである場合について説明する。第２の記録モードでは、記録期間は、遡及期間と、トリガ信号の入力タイミング以降の所定の期間とを含む（図１（ｂ）参照）。従って、第２の記録モードの場合には、撮像映像記録部１６４は、第１の記憶部１４０に記憶されている映像の中から、遡及期間の開始のタイミング（すなわち、記録開始タイミング）に対応する映像を読み出し、表示制御部１６５に提供する。これにより、第２の記録モードでの記録開始タイミングに対応する映像が、表示制御部１６５によって表示部１３０に表示されることとなる。また、撮像映像記録部１６４は、第１の記憶部１４０に記憶されている映像情報の中から、遡及期間に対応する映像情報を読み出し、第２の記憶部１５０に保存するとともに、撮像映像処理部１６２から順次提供される現在の映像情報を、トリガ信号の入力タイミング以降の所定の期間の分だけ、第２の記憶部１５０に保存する。これにより、第２の記録モードでの記録期間に対応する映像が、第２の記憶部１５０に記憶されることとなる。
【００４５】
次に、記録モードが第３の記録モードである場合について説明する。第３の記録モードでは、記録期間は遡及期間を含まない（図１（ｃ）参照）。従って、第３の記録モードの場合には、撮像映像記録部１６４は、第１の記憶部１４０に記憶されている映像を読み出すことなく、撮像映像処理部１６２から順次提供される現在の映像情報を、表示制御部１６５に提供する。これにより、第３の記録モードでの記録開始タイミングに対応する映像（すなわちスルー画）が、表示制御部１６５によって表示部１３０に表示されることとなる。また、撮像映像記録部１６４は、撮像映像処理部１６２から順次提供される現在の映像情報を、記録期間の分だけ、第２の記憶部１５０に保存する。これにより、第３の記録モードでの記録期間に対応する映像が、第２の記憶部１５０に記憶されることとなる。
【００４６】
ここで、図３を参照して、第１の記録モードにおける撮像映像記録部１６４の処理について、より詳細に説明する。図３は、第１の記録モードにおける撮像映像記録部１６４の処理について説明するための説明図である。図３では、映像を撮影中の時間を横軸として図示するとともに、第１の記憶部１４０に記憶されている映像の記憶期間（保存期間）及び映像の記録期間の関係を概略的に図示している。
【００４７】
図３を参照すると、操作部１２０を介して撮影を開始する旨の指示が入力されたタイミング（撮影開始タイミング）から、撮像映像記録部１６４による第１の記憶部１４０に対する映像の保存が開始される。第１の記憶部１４０には、その記憶容量に対応する期間の映像だけが記憶され、古い映像は順次消去される。図中の期間２０１は、第１の記憶部１４０から消去された映像の期間を表しており、図中の期間２０３は、第１の記憶部１４０に保存されている映像の期間を表している。
【００４８】
撮影が開始されると、撮像映像記録部１６４は、記録期間の開始のタイミング（図中、記録開始タイミング）に対応する映像を、第１の記憶部１４０から読み出し、表示制御部１６５に提供する。また、操作部１２０を介してトリガ操作が行われると、撮像映像記録部１６４は、当該トリガ操作に応じたトリガ信号の入力タイミングから、所定の期間遡った記録期間２０５の映像を、第１の記憶部１４０から第２の記憶部１５０に移す処理を行う。期間２０３が、記録期間２０５よりも長くなるように第１の記憶部１４０の記憶容量が設計されるため、撮像映像記録部１６４は、期間２０３に含まれる映像のうちの一部を、記録期間２０５に対応する映像として第２の記憶部１５０に保存することができる。なお、期間２０３が記録期間２０５と一致するように第１の記憶部１４０の記憶容量が設計される場合には、撮像映像記録部１６４は、第１の記憶部１４０に保存されている全ての映像を、記録期間２０５に対応する映像として第２の記憶部１５０に保存すればよい。
【００４９】
以上、図３を参照して、第１の記録モードにおける撮像映像記録部１６４の処理についてより詳細に説明した。なお、ここでは、一例として第１の記録モードにおける撮像映像記録部１６４の処理について説明したが、第２の記録モードにおいても、記録開始タイミングに対応する映像及び遡及期間に対応する映像が、同様に処理される。すなわち、第２の記録モードの場合には、撮像映像記録部１６４は、記録開始タイミングに対応する映像を読み出し表示制御部１６５に提供するとともに、期間２０３に含まれる映像のうちの一部を遡及期間に対応する映像として第２の記憶部１５０に保存することができる。また、第３の記録モードでは、記録期間が遡及期間を含まないため、撮像映像記録部１６４は、第１の記憶部１４０に記憶されている映像を読み出す処理を行わなくてよい。
【００５０】
表示制御部１６５は、表示部１３０の駆動を制御し、表示部１３０に各種の情報を表示させる。本実施形態では、記録モードとして第１の記録モード又は第２の記録モードが設定されている場合に、表示制御部１６５は、表示部１３０に、所定の時間遅延された映像を表示させる。つまり、表示制御部１６５は、スルー画を所定の時間遅延させて表示させる機能を有する。表示制御部１６５は、第１の記憶部１４０に一時的に記憶されている映像（すなわち、バッファリングされている映像）を用いることにより、遅延された映像を表示させることができる。ここで、映像の表示が遅延される時間は、設定された第１の記録モード又は第２の記録モードにおける遡及期間に対応する時間であってよい。このように、表示制御部１６５は、記録モードに応じた、記録開始タイミングにおける映像を表示部１３０に表示させることができる。
【００５１】
ここで、既存の一般的な撮像装置では、ユーザが、現在の映像（いわゆるスルー画）を見ながらトリガ操作を行う。従って、記録モードが第１の記録モード又は第２の記録モードである場合、すなわち、トリガ操作のタイミングから遡って映像が記録される場合には、ユーザは、記録開始時の映像とは異なる映像であるスルー画を見ながら、遡及期間を考慮し、記録開始時の映像を予想してトリガ操作を行う必要があった。従って、所望のタイミングから記録を開始するためには、一定の技量が求められていた。また、記録済みの映像を後から確認しないと、所望のタイミングから映像が記録されているかどうかを確認することができず、不便があった。一方、本実施形態では、上記のように、表示制御部１６５により、所定の時間遅延された映像、例えば記録開始タイミングにおける映像が表示部１３０に表示される。従って、ユーザは、表示部１３０に表示される、記録開始タイミングにおける映像を確認しながらトリガ操作を行うことができ、より容易に所望の映像を記録することが可能となる。
【００５２】
なお、表示制御部１６５は、所定の時間遅延された映像とともに、スルー画を表示部１３０に表示させてもよい。表示制御部１６５は、撮像映像処理部１６２から現在の被写体の様子を表す映像情報を取得することにより、表示部１３０にスルー画を表示させることができる。ユーザがいつトリガ操作を行うか、すなわち、どの期間の映像を記録するかを決定する際には、現在の被写体の状況も判断基準となり得るため、表示部１３０に所定の時間遅延された映像とともにスルー画が表示されることにより、ユーザは、双方の映像を確認しながら、より適切なタイミングでトリガ操作を行うことができる。特に、記録モードが第１の記録モードである場合には、所定の時間遅延された映像は記録開始タイミングの映像に対応し、スルー画は記録期間の終了のタイミングの映像に対応している。従って、表示部１３０に所定の時間遅延された映像とともにスルー画が表示されることにより、ユーザは、記録期間開始タイミングの映像と記録期間の終了のタイミングの映像の双方を確認しながらトリガ操作を行うことができ、ユーザの利便性が更に向上する。
【００５３】
ここで、記録モードが第３の記録モードである場合には、表示制御部１６５は、表示部１３０に所定の時間遅延された映像は表示させず、スルー画のみを表示させてもよい。第３の記録モードでは、トリガ操作のタイミングが記録開始タイミングとなるため、スルー画として表示されている映像が、記録開始タイミングにおける映像であるからである。このように、本実施形態では、表示制御部１６５は、記録モードに応じて、記録開始タイミングにおける映像を表示部１３０に表示させる機能を有しているとも言える。
【００５４】
なお、表示制御部１６５の機能は上記の例に限定されず、表示制御部１６５は、例えば撮影条件を設定するための設定画面や、記録済みの映像等の、一般的なデジタルビデオカメラにおいて表示され得る各種の情報を表示部１３０に表示させることができる。例えば、表示制御部１６５は、第２の記憶部１５０から記録済みの映像情報を読み出すことにより、記録済みの映像を表示部１３０に表示させることができる。
【００５５】
以上、図２を参照して、本実施形態に係る撮像装置１０の機能構成について説明した。なお、上記では、表示制御部１６５が、所定の時間遅延された映像として、記録開始タイミングにおける映像を表示部１３０に表示させる場合について説明したが、本実施形態はかかる例に限定されない。例えば、表示制御部１６５は、所定の時間遅延された映像として、記録開始タイミング以前の所定のタイミングにおける映像を表示部１３０に表示させてもよい。上述したように、ユーザは、所定の時間遅延された映像を見ながらトリガ操作を行うことができるが、実際には、ユーザが映像を確認してから実際にトリガ操作（例えば記録開始ボタンの押下）が行われるまでの間には、ヒトの生理的な性質に起因する遅延が生じ得る。本実施形態では、このような遅延を考慮して、記録開始タイミングよりも僅かに早いタイミングにおける映像が、表示部１３０に表示されてもよい。これにより、ユーザのトリガ操作のタイミングと、記録開始タイミングとが、ユーザの直感的により一致することとなる。
【００５６】
また、図２に示す構成は、１つの装置として一体的に構成されてもよいし、複数の装置がネットワークを介して互いに通信可能に接続されることにより構成されてもよい。例えば、表示部１３０は、必ずしも撮像装置１０と一体的に設けられなくてもよく、撮像装置１０とは異なる別途の表示装置によって構成されてもよい。また、例えば、制御部１６０の各機能は、１つのプロセッサ又は１台の情報処理装置によって実行されてもよいし、複数のプロセッサ又は複数の情報処理装置の協働によって実行されてもよい。あるいは、制御部１６０の各機能は、ネットワーク上（例えばいわゆるクラウド上）に設けられるサーバ等の情報処理装置又は情報処理装置群によって実行されてもよい。その場合、例えば撮像部１１０、操作部１２０及び表示部１３０は、ユーザが直接操作する撮像装置として構成され、当該撮像装置が、ネットワークを介して、他の場所に設置されている第１の記憶部１４０、第２の記憶部１５０及び制御部１６０の機能を実現し得る情報処理装置と各種の情報や指示等を通信することにより、図２に示す各機能が実現され得る。
【００５７】
また、上述のような本実施形態に係る撮像装置１０の各機能、特に制御部１６０の各機能を実現するためのコンピュータプログラムを作製し、ＰＣ（Ｐｅｒｓｏｎａｌ  Ｃｏｍｐｕｔｅｒ）等に実装することが可能である。また、このようなコンピュータプログラムが格納された、コンピュータで読み取り可能な記録媒体も提供することができる。記録媒体は、例えば、磁気ディスク、光ディスク、光磁気ディスク、フラッシュメモリなどである。また、上記のコンピュータプログラムは、記録媒体を用いずに、例えばネットワークを介して配信してもよい。
【００５８】
（３．表示例）
次に、表示制御部１６５によって実現される、本実施形態における表示例について、より詳細に説明する。ここでは、比較のため、一般的な表示例と、本実施形態に係る表示例の双方について説明する。また、一例として、記録モードが第１の記録モードである場合における表示例を示す。
【００５９】
また、以下の図４−図９では、映像の表示の一例として、図３に示す、撮影開始タイミング、記録開始タイミング及びトリガ信号入力タイミングにおける表示例を示している。ここで、図３に示す撮影開始タイミングでは、撮影が開始された直後であり、映像が第１の記憶部１４０にまだ記憶されていない状態であることを想定している。また、図３に示す記録開始タイミングでは、撮影が開始されてから、第１の記録モードにおける記録期間（すなわち遡及期間）に対応する時間も、第１の記憶部１４０の記憶容量に対応する期間に対応する時間も経過しておらず、映像が第１の記憶部１４０から消去されることなく記憶され続けている状態であることを想定している。また、図３に示すトリガ信号入力タイミングでは、撮影が開始されてから、第１の記憶部１４０の記憶容量に対応する期間以上の時間が経過しており、第１の記憶部１４０において、映像が古いものから順次消去され、更新されている状態であることを想定している。
【００６０】
（３−１．一般的な表示例）
まず、図４−図６を参照して、一般的な撮像装置における表示例について説明する。図４は、図３に示す撮影開始タイミングにおける、一般的な撮像装置での表示例を示す図である。図５は、図３に示す記録開始タイミングにおける、一般的な撮像装置での表示例を示す図である。図６は、図３に示すトリガ信号入力タイミングにおける、一般的な撮像装置での表示例を示す図である。
【００６１】
図４−図６では、左から右に移動する被写体２１１を撮影した際の、表示画面２１０の表示を示している。一般的な撮像装置では、記録モードにかかわらず表示画面２１０にはスルー画が表示され得る。従って、図４−図６に示すように、表示画面２１０には、被写体２１１が左から右に移動する様子がそのまま表示される。
【００６２】
ユーザは、映像を記録する際に、表示画面２１０を参照しながらトリガ操作を行う。図４−図６に示す例では、ユーザが、図６に示す表示が表示画面２１０になされたタイミングでトリガ操作を行うことにより、図５に示す表示以降の映像が、最終的に得たい映像として記録されることとなる。このように、一般的な撮像装置では、ユーザは、図５に示す表示画面２１０を見ながらトリガ操作を行うのではなく、図５に示す状態から所定の期間経過した後の図６に示す表示画面２１０を見ながらトリガ操作を行わなくてはいけない。従って、本当に映像が図５に示す状態から記録されているかどうかは、記録後の映像を確認しないと判断することができなかった。
【００６３】
（３−２．本実施形態に係る表示例）
次に、図７−図９を参照して、本実施形態に係る撮像装置１０における表示例について説明する。図７は、図３に示す撮影開始タイミングにおける、本実施形態に係る撮像装置１０での表示例を示す図である。図８は、図３に示す記録開始タイミングにおける、本実施形態に係る撮像装置１０での表示例を示す図である。図９は、図３に示すトリガ信号入力タイミングにおける、本実施形態に係る撮像装置１０での表示例を示す図である。
【００６４】
図７−図９では、図４−図６と同様の被写体２１１、すなわち、左から右に移動する被写体２１１を撮影した際の、表示画面２１０の表示を示している。表示画面２１０は、上述した図２に示す表示部１３０の表示画面に対応している。また、表示画面２１０の表示は、上述した図２に示す表示制御部１６５によって制御されている。
【００６５】
図７−図９に示すように、本実施形態では、いわゆるＰｉｎＰ（Ｐｉｃｔｕｒｅ  ｉｎ  Ｐｉｃｔｕｒｅ）機能を用いて、表示画面２１０の一部領域に、より小さいサイズの他の表示画面２２０が設けられる。そして、表示画面２１０にはスルー画が表示され、他の表示画面２２０には所定の時間遅延された映像が表示される。当該遅延時間は、第１の記録モードにおける遡及期間に対応する時間であってよく、従って、他の表示画面２２０に表示される映像は、記録開始タイミングに対応する映像であり得る。以下では、遅延された映像が表示される表示画面２２０のことを、スルー画が表示される表示画面２１０と区別するために、便宜的に、遅延表示画面２２０とも呼称する。
【００６６】
例えば、図７に示すように、図３に示す撮影開始タイミングでは、表示画面２１０及び遅延表示画面２２０に同様の画像が表示される。図７に示す状態は、撮影が開始された直後であり、映像が第１の記憶部１４０にまだ記憶されていない状態であるため、遡及期間の分だけ映像を遅延させて表示することができない。この場合、遅延表示画面２２０には、図７に示すように、可能な限り遅延された映像、すなわち、撮影開始タイミングの映像が表示され得る。なお、例えば図７に示すタイミングでトリガ操作が行われた場合には、可能な限り遡及されたタイミングから記録が開始され得る。すなわち、この場合には、撮影開始タイミングと記録開始タイミングとが一致する。このように、図７に示す状態であっても、遅延表示画面２２０には記録開始タイミングにおける映像が表示されていることになる。
【００６７】
図８に示すように、図３に示す記録開始タイミングでは、表示画面２１０におけるスルー画は、実際の被写体２１１の動きを反映して、図７に示す状態から変化する。一方、遅延表示画面２２０における映像は、図７に示す状態から変化しない。図８に示す状態は、撮影が開始されてから間もない状態であり、第１の記憶部１４０に、第１の記憶部１４０の記憶容量に対応する期間の分の映像も、遡及期間の分の映像も、まだ記憶されていない状態であるため、遡及期間の分だけ映像を遅延させて表示することができない。この場合、遅延表示画面２２０には、図８に示すように、可能な限り遅延された映像、すなわち、図７に示す状態と同様に、撮影開始タイミングの映像が表示され得る。なお、図８に示すタイミングでトリガ操作が行われた場合には、図７に示す状態と同様に、可能な限り遡及されたタイミングから記録が開始され得る。すなわち、この場合には、撮影開始タイミングと記録開始タイミングとが一致する。このように、図８に示す状態であっても、遅延表示画面２２０には記録開始タイミングにおける映像が表示されていることとなる。
【００６８】
図９に示すように、図３に示すトリガ信号入力タイミングでは、表示画面２１０におけるスルー画は、実際の被写体２１１の動きを反映して、図８に示す状態から更に変化する。一方、遅延表示画面２２０には、図８において表示画面２１０にスルー画として表示されていた映像、すなわち、記録開始タイミングにおける映像が表示される。このように、図９に示す状態は、撮影が開始されてから、第１の記憶部１４０の記憶容量に対応する期間以上の時間が経過した状態であるため、記録期間（すなわち遡及期間）に対応する時間だけ遅延された、記録開始タイミングにおける映像が、遅延表示画面２２０に表示され得る。
【００６９】
図７−図９に示すように、本実施形態では、遅延表示画面２２０に、記録開始タイミングにおける映像が表示され得る。図７−図９では、第１の記録モードを例に挙げて説明したが、第２の記憶モードであっても、同様に、遡及期間に対応する時間だけ遅延された、記録開始タイミングにおける映像が、遅延表示画面２２０に表示され得る。従って、ユーザは、遅延表示画面２２０の記録開始タイミングにおける映像を確認しながらトリガ操作を行うことができるため、本来の要望とは異なる誤った期間の映像が記録されてしまう可能性が低減され、ユーザの利便性を向上させることができる。
【００７０】
（４．表示制御方法）
図１０を参照して、本実施形態に係る表示制御方法の処理手順について説明する。図１０は、本実施形態に係る表示制御方法の処理手順の一例を示すフロー図である。なお、図１０に示す各処理は、例えば図２に示す本実施形態に係る撮像装置１０の各機能ブロックによって実行される処理に対応している。
【００７１】
図１０を参照すると、本実施形態に係る表示制御方法では、まず、記録モードが設定される（ステップＳ１０１）。ステップＳ１０１に示す処理では、ユーザの操作入力に応じて、上記（１．記録モードについて）で説明した第１の記録モード〜第３の記録モードのうちのいずれかが、記録モードとして設定される。なお、ステップＳ１０１に示す処理は、例えば図２に示す記録モード設定部１６３によって実行される処理に対応している。
【００７２】
次に、設定された記録モードに基づいて、記録期間が決定される（ステップＳ１０３）。例えば、記録モードが第１の記録モードである場合には、現時点から遡った所定の期間が記録期間となる。また、例えば、記録モードが第２の記録モードである場合には、現時点から遡った所定の期間、及び、現時点から将来の所定の期間を合わせたものが記録期間となる。また、例えば、記録モードが第３の記録モードである場合には、現時点から将来の所定の期間が記録期間となる。なお、ステップＳ１０３に示す処理は、例えば図２に示す撮像映像記録部１６４によって実行される処理に対応している。
【００７３】
次に、決定された記録期間に基づいて、第１の記憶部（第１の記録媒体）から、記録開始タイミングに対応する映像が読み出される（ステップＳ１０５）。記録モードが第１の記録モード又は第２の記録モードであり、第１の記憶部の記憶容量が各記録モードの遡及期間の映像に対応する記憶容量である場合には、第１の記憶部から消去される直前の映像が、記録開始タイミングに対応する映像となる。一方、記録モードが第３の記録モードである場合には、現時点の映像（すなわちスルー画）が、記録開始タイミングに対応する映像となるため、当該記録開始タイミングに対応する映像は、第１の記憶部から読み出されなくてもよい。なお、ステップＳ１０５に示す処理は、例えば図２に示す撮像映像記録部１６４によって実行される処理に対応している。また、第１の記憶部は、例えば図２に示す第１の記憶部１４０に対応するものであり、一定期間分の映像を一時的に記憶するものである。
【００７４】
次に、記録開始タイミングに対応する映像が表示される（ステップＳ１０７）。例えば、記録モードが第１の記録モード又は第２の記録モードである場合には、記録開始タイミングに対応する映像として、所定の時間遅延された映像が表示される。また、その場合には、図７−図９に示すように、所定の時間遅延された映像とともに、スルー画が表示され得る。あるいは、下記（５．表示例についての変形例）で説明する各表示例のように所定の時間遅延された映像が表示されてもよい。一方、記録モードが第３の記録モードである場合には、記録開始タイミングに対応する映像として、スルー画が表示される。なお、ステップＳ１０７に示す処理は、例えば図２に示す表示制御部１６５によって実行され得る。
【００７５】
次に、トリガ信号の入力に応じて、記録期間の映像が、第１の記憶部から読み出され、第２の記憶部（第２の記録媒体）に保存される（ステップＳ１０９）。例えば、記録モードが第１の記録モード又は第２の記録モードである場合には、記録期間は遡及期間を含む。第１の記憶部には、一定期間分の映像が一時的に記憶されているため、第１の記憶部から遡及期間に対応する映像が取得されることにより、これらの記録モードに応じた記録期間の映像（第２の記録モードの場合には記録期間の一部の映像）を、第２の記憶部に保存することができる。一方、記録モードが第３の記録モードである場合には、記録期間は遡及期間を含まないため、第１の記憶部から第２の記憶部に映像を移行する処理が行われることなく、スルー画に対応する順次取得される最新の映像が、第２の記憶部に保存されることとなる。なお、ステップＳ１０９に示す処理は、例えば図２に示す撮像映像記録部１６４によって実行される処理に対応している。また、第２の記憶部は、例えば図２に示す第２の記憶部１５０に対応するものであり、最終的な記録対象である映像を半永続的に記憶するものである。
【００７６】
以上、図１０を参照して、本実施形態に係る表示制御方法の処理手順について説明した。
【００７７】
（５．表示例についての変形例）
上述した実施形態では、所定の時間遅延された映像の一表示例として、スルー画が表示される表示画面内の一部領域に、当該所定の時間遅延された映像が表示されるより小さいサイズの遅延表示画面が設けられる場合について説明した。図１１は、本実施形態に係る表示例について説明するための説明図であり、上述した実施形態に係る表示例を再度図示するものである。図１１では、撮像装置本体２３０及び表示装置２４０が、概略的に図示されている。例えば、撮像装置本体２３０には、図２に示す撮像部１１０、操作部１２０、第１の記憶部１４０、第２の記憶部１５０及び制御部１６０に対応する機能が搭載されている。また、表示装置２４０は、図２に示す表示部１３０を構成し得るものである。
【００７８】
図７−図９に示す表示例と同様に、図１１に示す表示例では、表示装置２４０の表示画面２５０内に、左から右に移動する被写体２５１が表示されている。表示画面２５０内の映像は、現在の被写体２５１の様子を表す映像、すなわちスルー画である。また、表示画面２５０内には、より小さいサイズの遅延表示画面２６０が設けられる。遅延表示画面２６０には、表示画面２５０と同様に、被写体２５１が表示されるが、当該遅延表示画面２６０内の映像は、現時点から所定の時間遅延された映像である。
【００７９】
しかしながら、本実施形態はかかる例に限定されず、所定の時間遅延された映像は、他の方法で表示されてもよい。ここでは、本実施形態における表示例についての変形例として、所定の時間遅延された映像が他の方法で表示される場合について説明する。なお、所定の時間遅延された映像をどのように表示するかは、撮像装置１０のハードウェア構成やユーザの利便性等を考慮して、上述した実施形態に係る表示方法、以下に説明する各変形例に係る表示方法、及び、その他各種の公知の表示方法の中から、適宜選択されてよい。
【００８０】
（５−１．複数の表示装置が設けられる変形例）
図１２を参照して、複数の表示装置が設けられる変形例について説明する。図１２は、複数の表示装置が設けられる変形例について説明するための説明図である。
【００８１】
図１２を参照すると、撮像装置本体２３０に対して、同程度のサイズの表示画面２５０、２８０を有する、複数の表示装置２４０、２７０が設けられている。撮像装置本体２３０は、図１１に示す撮像装置本体２３０と同様のものである。また、表示装置２４０、２７０は、例えば図２に示す表示部１３０を構成するものである。このように、本変形例では、表示部１３０が、例えば同程度のサイズの表示画面を有する複数の表示装置２４０、２７０によって構成され得る。
【００８２】
一の表示装置２４０の表示画面２５０には、スルー画が表示される。一方、他の表示装置２７０の表示画面２８０には、所定の時間遅延された映像が表示される。ここで、上述した実施形態では、図１１に示すように、遅延表示画面２６０が、比較的サイズの小さい表示画面として、表示画面２５０の中に組み込まれていた。ユーザがトリガ操作を行う際には、スルー画ではなく、遅延表示画面２６０を見ながら当該トリガ操作を行うことが想定されるため、図１１に示す表示例では、ユーザが小画面である遅延表示画面２６０を確認し難い可能性がある。本変形例では、複数の表示装置２４０、２７０が設けられ、スルー画と所定の時間遅延された映像とが、それぞれの表示装置２４０、２７０に同程度のサイズで表示されることにより、ユーザの利便性をより向上させることが可能となる。なお、表示装置２４０、２７０の表示画面２５０、２８０は、必ずしも同程度のサイズでなくてもよく、ユーザによる映像の確認に支障をきたさない限りにおいて、適宜サイズが調整されてよい。
【００８３】
（５−２．所定の時間遅延された映像のみが表示される変形例）
図１３を参照して、所定の時間遅延された映像のみが表示される変形例について説明する。図１３は、所定の時間遅延された映像のみが表示される変形例について説明するための説明図である。
【００８４】
図１３を参照すると、撮像装置本体２３０及び表示装置２４０が概略的に図示されている。撮像装置本体２３０及び表示装置２４０は、図１１に示す撮像装置本体２３０及び表示装置２４０と同様のものである。このように、本変形例は、図１１に示す上述した実施形態と同様のハードウェア構成によって実現され得る。ただし、本変形例では、表示装置２４０に表示される映像が、上述した実施形態とは異なる。
【００８５】
本変形例では、表示装置２４０の表示画面２５０に、スルー画ではなく、所定の時間遅延された映像が表示される。本変形例によれば、図１１に示す表示例に比べて、所定の時間遅延された映像が、より大きなサイズの表示画面２５０に表示されるため、ユーザがトリガ操作を行う際に、当該所定の時間遅延された映像をより確認しやすくなる。ここで、本変形例では、表示装置２４０にスルー画が表示されない。しかしながら、スルー画は現在の被写体２５１の様子を表す映像であるため、スルー画が表示画面２５０に表示されない場合であっても、ユーザは、肉眼で直接被写体２５１の様子を観察することにより、スルー画を参照する場合と略同等の情報を得ることができる。従って、本変形例のように、スルー画が表示されない場合であっても、ユーザの利便性が著しく低下されることはない。
【００８６】
（５−３．スルー画と所定の時間遅延された映像が重畳されて表示される変形例）
上述した実施形態や、上記（５−１．複数の表示装置が設けられる変形例）で説明した変形例では、表示画面が複数設けられ、一の表示画面にスルー画が表示され、他の表示画面に所定の時間遅延された映像が表示されていた。しかしながら、本実施形態はかかる例に限定されず、一の表示画面にスルー画と所定の時間遅延された映像がともに表示されてもよい。
【００８７】
図１４を参照して、このような、スルー画と所定の時間遅延された映像が重畳されて表示される（オーバーレイ表示される）変形例について説明する。図１４は、スルー画と所定の時間遅延された映像が重畳されて表示される変形例について説明するための説明図である。
【００８８】
図１４を参照すると、撮像装置本体２３０及び表示装置２４０が概略的に図示されている。撮像装置本体２３０及び表示装置２４０は、図１１に示す撮像装置本体２３０及び表示装置２４０と同様のものである。このように、本変形例は、図１１に示す上述した実施形態と同様のハードウェア構成によって実現され得る。ただし、本変形例では、表示装置２４０に表示される映像が、上述した実施形態とは異なる。
【００８９】
本変形例では、表示装置２４０の表示画面２５０に、スルー画と所定の時間遅延された映像とが、重畳して表示される（いわゆるオーバーレイ表示される）。図示する例では、表示装置２４０の表示画面２５０に、スルー画に係る被写体２５１ａと、所定の時間遅延された映像に係る被写体２５１ｂと、がともに表示されている。この際、所定の時間遅延された映像に係る被写体２５１ｂには、例えば透過して表示される等、現在の被写体２５１の様子を表す像ではないことが、ユーザに直感的に理解され得るような表示効果が施されてよい。
【００９０】
このようなオーバーレイ表示は、例えば、スルー画に対応する映像２９０と、所定の時間遅延された映像２９５と、が、合成されることによって実現され得る。当該合成処理は、例えば図２に示す表示制御部１６５によって実行され得る。なお、本変形例における表示制御には、複数の映像をオーバーレイ表示する際に用いられている、各種の公知な手法が用いられてよい。例えば、上述したように、一方の映像を透過させて両者の映像が重ね合わされてもよいし、両者の映像の差分を強調して表示するように両者の映像が重ね合わされてもよい。
【００９１】
本変形例によれば、図１１に示す表示例に比べて、所定の時間遅延された映像が、より大きなサイズの表示画面２５０に表示されるため、ユーザがトリガ操作を行う際に、当該所定の時間遅延された映像をより確認しやすくなる。また、同一の表示画面２５０に、スルー画と所定の時間遅延された映像が重畳して表示されるため、ユーザが視線を大きく動かすことなく、両方の映像を容易に確認することが可能となり、ユーザの利便性をより向上させることが可能となる。
【００９２】
（６．ハードウェア構成）
図１５を参照して、本実施形態に係る撮像装置のハードウェア構成について説明する。図１５は、本実施形態に係る撮像装置のハードウェア構成の一例を示すブロック図である。図示される撮像装置９００は、例えば、上記の実施形態における撮像装置１０を実現し得る。
【００９３】
撮像装置９００は、ＣＰＵ９０１、ＲＯＭ（Ｒｅａｄ  Ｏｎｌｙ  Ｍｅｍｏｒｙ）９０３及びＲＡＭ（Ｒａｎｄｏｍ  Ａｃｃｅｓｓ  Ｍｅｍｏｒｙ）９０５を含む。また、撮像装置９００は、ホストバス９０７、ブリッジ９０９、外部バス９１１、インターフェース９１３、入力装置９１５、出力装置９１７、ストレージ装置９１９、ドライブ９２１、接続ポート９２３、通信装置９２５、撮像機構９３３及びセンサ９３５を含んでもよい。撮像装置９００は、ＣＰＵ９０１に代えて、またはこれとともに、ＤＳＰ又はＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）と呼ばれるような処理回路を有してもよい。
【００９４】
ＣＰＵ９０１は、演算処理装置及び制御装置として機能し、ＲＯＭ９０３、ＲＡＭ９０５、ストレージ装置９１９又はリムーバブル記録媒体９２７に記録された各種プログラムに従って、撮像装置９００内の動作全般又はその一部を制御する。ＲＯＭ９０３は、ＣＰＵ９０１が使用するプログラムや演算パラメータ等を記憶する。ＲＡＭ９０５は、ＣＰＵ９０１の実行において使用するプログラムや、その実行において適宜変化するパラメータなどを一次記憶する。ＣＰＵ９０１、ＲＯＭ９０３及びＲＡＭ９０５は、ＣＰＵバス等の内部バスにより構成されるホストバス９０７により相互に接続されている。さらに、ホストバス９０７は、ブリッジ９０９を介して、ＰＣＩ（Ｐｅｒｉｐｈｅｒａｌ  Ｃｏｍｐｏｎｅｎｔ  Ｉｎｔｅｒｃｏｎｎｅｃｔ／Ｉｎｔｅｒｆａｃｅ）バスなどの外部バス９１１に接続されている。ＣＰＵ９０１は、本実施形態では、例えば、図２に示す制御部１６０を構成し得る。
【００９５】
入力装置９１５は、例えば、マウス、キーボード、タッチパネル、ボタン、スイッチ及びレバー等、ユーザによって操作される装置である。入力装置９１５は、例えば、赤外線やその他の電波を利用したリモートコントロール装置であってもよいし、撮像装置９００の操作に対応した携帯電話などの外部接続機器９２９であってもよい。入力装置９１５は、ユーザが入力した情報に基づいて入力信号を生成してＣＰＵ９０１に出力する入力制御回路を含む。ユーザは、この入力装置９１５を操作することによって、撮像装置９００に対して各種のデータを入力したり処理動作を指示したりする。入力装置９１５は、本実施形態では、例えば、図２に示す操作部１２０を構成し得る。例えば、ユーザは、入力装置９１５を介して、記録モードを設定する旨の指示や、記録を開始する旨のトリガ操作を入力することができる。
【００９６】
出力装置９１７は、取得した情報をユーザに対して視覚的又は聴覚的に通知することが可能な装置で構成される。出力装置９１７は、例えば、ＬＣＤ、ＰＤＰ（ｐｌａｓｍａ  Ｄｉｓｐｌａｙ  Ｐａｎｅｌ）、有機ＥＬディスプレイ、ランプ、プロジェクタ、照明等の表示装置、スピーカ及びヘッドホン等の音声出力装置、並びに、プリンタ装置等であり得る。出力装置９１７は、撮像装置９００における処理により得られた結果を、テキスト又は画像等の映像として出力したり、音声又は音響などの音声として出力したりする。当該表示装置は、本実施形態では、例えば、図２に示す表示部１３０を構成し得る。当該表示装置には、ＣＰＵ９０１からの制御により、所定の時間遅延された映像が表示される。また、本実施形態では、例えば、当該音声出力装置からウインドウにおいて実行されるアプリケーションに応じた音声が出力され得る。
【００９７】
ストレージ装置９１９は、撮像装置９００の記憶部の一例として構成されたデータ格納用の装置である。ストレージ装置９１９は、例えば、ＨＤＤ（Ｈａｒｄ  Ｄｉｓｋ  Ｄｒｉｖｅ）等の磁気記憶部デバイス、半導体記憶デバイス、光記憶デバイス又は光磁気記憶デバイス等により構成される。このストレージ装置９１９は、ＣＰＵ９０１が実行するプログラムや各種データ及び外部から取得した各種のデータ等を格納する。本実施形態では、例えば、ストレージ装置９１９は、図２に示す第１の記憶部１４０及び第２の記憶部１５０を構成し得る。なお、第１の記憶部１４０は、上述したＲＯＭ９０３やＲＡＭ９０５によって構成されてもよい。また、第２の記憶部１５０は、後述するリムーバブル記録媒体９２７によって構成されてもよい。例えば、第１の記憶部１４０として機能する場合には、ストレージ装置９１９は、一定期間の映像情報を保存する。また、例えば、第２の記憶部１５０として機能する場合には、ストレージ装置９１９は、最終的な記録対象である映像を半永続的に保存する。また、ストレージ装置９１９は、制御部１６０において処理される各種の情報を記憶することができる。
【００９８】
ドライブ９２１は、磁気ディスク、光ディスク、光磁気ディスク又は半導体メモリ等のリムーバブル記録媒体９２７のためのリーダライタであり、撮像装置９００に内蔵、あるいは外付けされる。ドライブ９２１は、装着されているリムーバブル記録媒体９２７に記録されている情報を読み出して、ＲＡＭ９０５に出力する。また、ドライブ９２１は、装着されているリムーバブル記録媒体９２７に記録を書き込む。本実施形態では、例えば、ドライブ９２１は、図２に示す制御部１６０によって処理される各種の情報及び制御部１６０による各種の処理結果を、リムーバブル記録媒体９２７から読み出したり、リムーバブル記録媒体９２７に書き込んだりすることができる。例えば、図２に示す第２の記憶部１５０は、リムーバブル記録媒体９２７によって構成されてもよい。
【００９９】
接続ポート９２３は、機器を撮像装置９００に直接接続するためのポートである。接続ポート９２３は、例えば、ＵＳＢ（Ｕｎｉｖｅｒｓａｌ  Ｓｅｒｉａｌ  Ｂｕｓ）ポート、ＩＥＥＥ１３９４ポート、ＳＣＳＩ（Ｓｍａｌｌ  Ｃｏｍｐｕｔｅｒ  Ｓｙｓｔｅｍ  Ｉｎｔｅｒｆａｃｅ）ポート等であり得る。また、接続ポート９２３は、ＲＳ−２３２Ｃポート、光オーディオ端子、ＨＤＭＩ（登録商標）（Ｈｉｇｈ−Ｄｅｆｉｎｉｔｉｏｎ  Ｍｕｌｔｉｍｅｄｉａ  Ｉｎｔｅｒｆａｃｅ）ポート等であってもよい。接続ポート９２３に外部接続機器９２９を接続することで、撮像装置９００と外部接続機器９２９との間で各種のデータが交換され得る。本実施形態では、例えば、接続ポート９２３を介して、図２に示す制御部１６０によって処理される各種の情報及び制御部１６０による各種の処理結果が、外部接続機器９２９との間で互いに送受信されてよい。例えば、図２に示す第２の記憶部１５０に記憶された最終的な記録対象である映像が、接続ポート９２３を介して外部接続機器９２９に送信されてもよい。
【０１００】
通信装置９２５は、例えば、通信ネットワーク９３１に接続するための通信デバイス等で構成された通信インターフェースである。通信装置９２５は、例えば、有線又は無線ＬＡＮ（Ｌｏｃａｌ  Ａｒｅａ  Ｎｅｔｗｏｒｋ）、Ｂｌｕｅｔｏｏｔｈ（登録商標）又はＷＵＳＢ（Ｗｉｒｅｌｅｓｓ  ＵＳＢ）用の通信カード等であり得る。また、通信装置９２５は、光通信用のルータ、ＡＤＳＬ（Ａｓｙｍｍｅｔｒｉｃ  Ｄｉｇｉｔａｌ  Ｓｕｂｓｃｒｉｂｅｒ  ｌｉｎｅ）用のルータ又は各種通信用のモデム等であってもよい。通信装置９２５は、例えば、インターネットや他の通信機器との間で、ＴＣＰ／ＩＰ等の所定のプロトコルを用いて信号等を送受信する。また、通信装置９２５に接続される通信ネットワーク９３１は、有線又は無線によって接続されたネットワークであり、例えば、インターネット、家庭内ＬＡＮ、赤外線通信、ラジオ波通信又は衛星通信等である。本実施形態では、例えば、通信装置９２５は、図２に示す制御部１６０によって処理される各種の情報及び制御部１６０による各種の処理結果を、通信ネットワーク９３１を介して外部の他の機器との間で互いに送受信してよい。例えば、図２に示す第２の記憶部１５０に記憶された最終的な記録対象である映像が、通信装置９２５によって、通信ネットワーク９３１を介して外部の他の機器に送信されてもよい。
【０１０１】
撮像機構９３３は、例えば、ＣＣＤイメージセンサ又はＣＭＯＳイメージセンサ等の撮像素子、並びに、撮像素子への被写体像の結像を制御するためのレンズ等の各種の部材を用いて実空間を撮像し、撮像画像を生成する機構である。本実施形態では、撮像機構９３３は、好適に動画像（映像）を撮像するものであり得る。撮像機構９３３は、本実施形態では、例えば、図２に示す撮像部１１０を構成し得る。
【０１０２】
センサ９３５は、例えば、加速度センサ、ジャイロセンサ、地磁気センサ、光センサ、音センサ、測距センサ等の各種のセンサである。センサ９３５は、例えば撮像装置９００の筐体の姿勢等、撮像装置９００自体の状態に関する情報や、撮像装置９００の周辺の明るさや騒音等、撮像装置９００の周辺環境に関する情報を取得する。また、センサ９３５は、ＧＰＳ（Ｇｌｏｂａｌ  Ｐｏｓｉｔｉｏｎｉｎｇ  Ｓｙｓｔｅｍ）信号を受信して装置の緯度、経度及び高度を測定するＧＰＳセンサを含んでもよい。本実施形態では、センサ９３５によって取得された各種の情報を用いて、例えば、いわゆる手振れ補正機能や、オートモードにおける撮像条件（露出、シャッタースピード等）の自動決定機能等の、一般的な撮像装置に備えられている各種の公知な機能が実現されてよい。
【０１０３】
以上、撮像装置９００のハードウェア構成の一例を示した。上記の各構成要素は、汎用的な部材を用いて構成されていてもよいし、各構成要素の機能に特化したハードウェアにより構成されていてもよい。かかる構成は、実施する時々の技術レベルに応じて適宜変更されうる。
【０１０４】
なお、上述のような撮像装置９００の各機能を実現するためのコンピュータプログラムを作製し、ＰＣ等に実装することが可能である。また、このようなコンピュータプログラムが格納された、コンピュータで読み取り可能な記録媒体も提供することができる。記録媒体は、例えば、磁気ディスク、光ディスク、光磁気ディスク、フラッシュメモリ等である。また、上記のコンピュータプログラムは、記録媒体を用いずに、例えばネットワークを介して配信されてもよい。
【０１０５】
（７．補足）
以上、添付図面を参照しながら本開示の好適な実施形態について詳細に説明したが、本開示の技術的範囲はかかる例に限定されない。本開示の技術分野における通常の知識を有する者であれば、特許請求の範囲に記載された技術的思想の範疇内において、各種の変更例または修正例に想到し得ることは明らかであり、これらについても、当然に本開示の技術的範囲に属するものと了解される。
【０１０６】
また、本明細書に記載された効果は、あくまで説明的または例示的なものであって限定的ではない。つまり、本開示に係る技術は、上記の効果とともに、または上記の効果に代えて、本明細書の記載から当業者には明らかな他の効果を奏しうる。
【０１０７】
なお、以下のような構成も本開示の技術的範囲に属する。
（１）撮影された映像を所定の時間遅延させて表示させる表示制御部、を備え、遅延される前記所定の時間は、トリガ信号に応じて記録が開始されるタイミングに基づいて決定される、表示制御装置。
（２）前記トリガ信号の入力タイミングと前記映像の記録期間との関係に応じた記録モードを決定する記録モード設定部、を更に備え、前記記録モードが、前記記録期間が前記トリガ信号のタイミング以前の遡及期間を含む記録モードである場合、前記表示制御部は、前記遡及期間の分だけ、前記映像を遅延させて表示させる、前記（１）に記載の表示制御装置。
（３）前記記録モードは、前記トリガ信号のタイミング以前に前記記録期間の分だけ遡った期間の前記映像を記録する第１の記録モードと、前記トリガ信号の入力タイミングの前後の期間を含む前記記録期間の前記映像を記録する第２の記録モードと、を少なくとも含む、前記（２）に記載の表示制御装置。
（４）撮影された一定期間分の映像を記憶する記憶部、を更に備え、前記表示制御部は、前記記憶部に記憶されている映像を用いて、撮影された映像を所定の時間遅延させて表示させる、前記（１）〜（３）のいずれか１項に記載の表示制御装置。
（５）前記表示制御部は、所定の時間遅延された映像とともに、現在の被写体の様子を表すスルー画を更に表示させる、前記（１）〜（４）のいずれか１項に記載の表示制御装置。
（６）前記表示制御部は、第１の表示画面に前記スルー画を表示させ、第２の表示画面に前記所定の時間遅延された映像を表示させる、前記（５）に記載の表示制御装置。
（７）前記第２の表示画面は、前記第１の表示画面の一部領域に設けられる、前記（６）に記載の表示制御装置。
（８）前記第１の表示画面と前記第２の表示画面とは、互いに異なる表示装置の表示画面である、前記（６）に記載の表示制御装置。
（９）前記表示制御部は、前記スルー画と前記所定の時間遅延された映像とを重畳して表示させる、前記（５）に記載の表示制御装置。
（１０）映像を撮影する撮像部と、前記撮像部によって撮影された一定期間分の映像を記憶する記憶部と、前記記憶部に記憶されている映像を用いて、前記撮像部によって撮影された映像を所定の時間遅延させて表示させる表示制御部と、を備え、遅延される前記所定の時間は、トリガ信号に応じて記録が開始されるタイミングに基づいて決定される、撮像装置。
（１１）プロセッサが、撮影された映像を所定の時間遅延させて表示させること、を含み、遅延される前記所定の時間は、トリガ信号に応じて記録が開始されるタイミングに基づいて決定される、表示制御方法。
【符号の説明】
【０１０８】
１０    撮像装置
１１０    撮像部
１２０    操作部
１３０    表示部
１４０    第１の記憶部
１５０    第２の記憶部
１６０    制御部
１６１    撮像制御部
１６２    撮像映像処理部
１６３    記録モード設定部
１６４    撮像映像記録部
１６５    表示制御部
【図１】
2016025562.tif 000003
【図２】
2016025562.tif 000004
【図３】
2016025562.tif 000005
【図４】
2016025562.tif 000006
【図５】
2016025562.tif 000007
【図６】
2016025562.tif 000008
【図７】
2016025562.tif 000009
【図８】
2016025562.tif 000010
【図９】
2016025562.tif 000011
【図１０】
2016025562.tif 000012
【図１１】
2016025562.tif 000013
【図１２】
2016025562.tif 000014
【図１３】
2016025562.tif 000015
【図１４】
2016025562.tif 000016
【図１５】
2016025562.tif 000017